(57)【要約】      （修正有）【課題】一般の人が簡素な工具で容易に製作できるバイオリンの弓を得る。【解決手段】径の異なるパイプ２６，２７を互いに嵌合させ、大径側のパイプ２６により所定長さのグリップ部２５ａを形成し、小径側のパイプ２７により所定長さの竿部２５ｂを形成し、グリップ部２５ａに第１係止具２８を前後方向に移動調節可能に設け、竿部２５ｂの前端に第２係止具３３を一体的に設け、各第１、第２係止具２８，３３に弓弦３５の両端を係止し、前記大径側のパイプ２６ と小径側のパイプ２７との嵌合量を調整して弓２５の重心位置を所定位置に設定する。【選択図】図６
2008046653.tif 000002
【特許請求の範囲】
【請求項１】
径の異なるパイプ（２６，２７）を互いに嵌合させ、大径側のパイプ（２６）により所定長さのグリップ部（２５ａ）を形成し、小径側のパイプ（２７）により所定長さの竿部（２５ｂ）を形成し、グリップ部（２５ａ）に第１係止具（２８）を前後方向に移動調節可能に設け、竿部（２５ｂ）の前端に第２係止具（３３）を一体的に設け、各第１、第２係止具（２８，３３）に弓弦（３５）の両端を係止し、前記大径側のパイプ（２６） と小径側のパイプ（２７）との嵌合量を調整して弓（２５）の重心位置を所定位置に設定したことを特徴とするバイオリンの弓。
【発明の詳細な説明】
【技術分野】
【０００１】
本発明は、練習、教材あるいは娯楽用として活用できる安価なバイオリンの弓に関するするものである。
【背景技術】
【０００２】
従来のバイオリンの弓は、本体部を一本の棒材により全体の重心を考慮しながら、グリップ部、竿部、弓弦の係止部等を形成するようにしていたので、本体部と同様に高度の加工技術及び専用の工具等を要し、高価になるものであった。このため、一般の人がバイオリンを気軽に弾いたり、製作したりして楽しむことができないものであった。
【特許文献１】特表２０００−５１３８２８号公報
【発明の開示】
【発明が解決しようとする課題】
【０００３】
本発明は、一般の人が簡素な工具で容易に製作できるバイオリンの弓を得ることを目的とする。
【課題を解決するための手段】
【０００４】
請求項１に係る発明は、径の異なるパイプを互いに嵌合させ、大径側のパイプにより所定長さのグリップ部を形成し、小径側のパイプにより所定長さの竿部を形成し、グリップ部に第１係止具を前後方向に移動調節可能に設け、竿部の前端に第２係止具を一体的に設け、各第１、第２係止具に弓弦の両端を係止し、前記大径側のパイプ と小径側のパイプとの嵌合量を調整して弓の重心位置を所定位置に設定するようにしたものである。
【発明の効果】
【０００５】
請求項１に係る発明は、径の異なる第１パイプと小径側のパイプとを嵌合させて弓を形成するようにしたので、市販のパイプ材を使用して容易に形成することができるとともに、第１パイプと小径側のパイプとの嵌合量を調整して弓の重心位置を設定するようにしたので、該重心位置の設定が容易になる。
【発明を実施するための最良の形態】
【０００６】
以下本発明の実施の形態を図面に基いて説明する。図面において、図１は本発明が適用されるバイオリンの側面図、図２はネックと胴部との結合部を示す要部断面側面図、図３は図２のIII-III拡大断面図、図４は胴部の後部側を示す断面側面図、図５は一部を破断したバイオリンの部分平面図、図６は本発明の実施例を示す弓の部分側面図である。
【０００７】
図１において、１はバイオリンであり、胴部２、ネック１０、指板１５、テールピース２０、弦２４等により構成されている。上記胴部２は、平面視瓢箪形状に裁断された裏板３、表板４を互いに対面させ、両者をその周縁部に沿って起立固定した側板５を介して一体的に固着し、表板４には、図５に示すように、音出し用のホール４ａが形成されている。
【０００８】
本例では、上記裏板３は厚さ約４ｍｍの繊維板製の平板により形成し、表板４は厚さ約５ｍｍの桐製の平板により形成し、また、側板５は厚さ約２ｍｍのベニヤ（単板）を湾曲させて形成する。この場合上記側板５は、図５に示すように、前部５ａ、中間部５ｂ、後部５ｃをそれぞれ分断して形成し、中間部５ｂの前後端を前部５ａ及び後部５ｃの端部に当接させることにより、中間部５ｂと前部５ａ及び後部５ｃとの結合部Ｃ１，Ｃ２を尖鋭にする。また、上記側板５の前端部、つまり左右の前部５ａ，５ａの前端部は互いに離間させてネック１０の基部側が嵌合する方形の差込口６を形成する。なお、上記側板５は二重構造の合板により形成すれば、湾曲性をさほど低下させることなく外観を高くすることができるので、より好ましい。
【０００９】
上記ネック１０はネック主体１０ａを図３に示すように、断面半円状にし、その基部（後端部）に差込部１１を、前端部にヘッド部１２を形成する。差込部１１は図１、図２に示すように、ネック主体１０ａの基部の上部と下部とを段状かつ平行に切欠き、また、左右の側面１１ｃ，１１ｃ（図１）を平行な面にして角形のブロック状とし、該差込部１１を前述した差込口６に嵌合させ、その上部側の面１１ａと下部側の面１１ｂとに表板４の前部と裏板３の前部とをそれぞれ重ね合わせて一体的に固着し、差込部１１の左右１１ｃ，１１ｃに前述した側板５の前端を当接させて一体的に固着する。これにより、表板４及び裏板３との当接面積を広くしてネック１０を胴部２に強固に結合するとともに、ネック１０の上方への曲げ剛性を高くする。
【００１０】
上記ネック１０のヘッド部１２は、図２に示すように、上面側に前後方向に細長い凹部１２ａを形成し、該凹部１２ａが存在するヘッド部１２の左右両側に４個の糸巻１３を回転可能に取り付ける。各糸巻１３は、心棒１３ａの端部に取り付ける摘まみ１３ｂを、木製の丸棒を短尺に切断した円板体とし、この円板体を心棒１３ａと直交させて嵌合固定してなる。これにより径の異なる２種類の丸棒材により各糸巻１３を容易に形成することができる。
【００１１】
上記ネック主体１０ａの上面に指板１５を固着する。この指板は、図３に示すように、細長い複数枚、例えば４枚の薄板材を積層して断面円弧状に湾曲させて形成する。これにより、切削加工を要することなく高精度の円弧面を形成することができる。
【００１２】
前述した胴部２の後部側にテールピース２０を取り付ける。このテールピース２０は、図４、図５に示すように、前後に長い長方形状の板材の前端部に４個の前部係止孔２０ａを左右に所定ピッチで貫通形成し、後端部の左右に２個の後部係止孔２０ｂを貫通形成し、前部係止孔２０ａに弦２４の後端を係止する。また、後部係止孔２０ｂにワイヤロープ等の緊張体２１を挿通し、その両端部をテールピース２０の上部側に位置させ、この部を鉛、あるいは銅等、軟質製の金属パイプからなる締結具２２に挿通した後、該締結具２２をかしめて上記両端部を締結し、上記緊張体２１をリング状にする。
【００１３】
上記リング状にした緊張体２１は、図４に示すように、表板４の後端部に形成した２個のスリット４ｂに嵌合させた後、胴部２の後面に突出固定した係止ピン２３に係止する。該係止ピン２３は胴部２の後部に固着した補強用のブロック７に嵌合固定する。図４において、８は表板３に起立固定した駒であり、弦２４を受けてこれの振動を表板４に伝達するものである。９は表板３の裏面に固着した補強リブである。
【００１４】
上記バイオリン１を弾く弓は図６に示すようになっている。図６において、２５は弓であり、大径側のパイプ２６により所定長さのグリップ部２５ａを形成し、該パイプ２６に小径の小径側のパイプ２７を嵌合させるとともに、該小径側のパイプ２７の前部を前方（図６において左方）に突出させ、該突出部により所定長さの竿部２５ｂを形成する。上記グリップ部２５ａの前後中間部に第１係止具２８を前後移動調節可能に取付け、また、竿部２５ｂの先端部に第２係止具３３を係止（固定）する。そして、上記第２係止具３３に弓弦３５の前端部を固着し、該弓弦３５の後端部を上記第１係止具２８に係止する。
【００１５】
上記大径側のパイプ２６及び小径側のパイプ２７は、本例では植木の姿勢を保持するスライド式の支柱を改良して形成したもので、上記大径側のパイプ２６の長さを所定の長さに切断してグリップ部２５ａとし、小径側のパイプ２７を大径側のパイプ２６に嵌合させる嵌合量を調整して弓２５の重心位置が基部（後部）側の所定位置となるように設定するとともに、該小径側のパイプ２７の先端部を所定箇所で切断して竿部２５ｂの長さを設定する。なお、上記グリップ部２５ａ、竿部２５ｂは、径の異なる２本以上のパイプを互いに嵌合させて（継ぎ足して）形成するようにしてもよい。
【００１６】
上記第１係止具２８は以下の如くなっている。即ち、取付け板２９をホルダ２９ａを介して大径側のパイプ２６に固定し、上記取付け板２９にガイド３０を固定し、該ガイド３０にフック３１ａを有するスライドピン３１を前後摺動可能に挿通し、該スライドピン３１の後端に小ねじ３２を連結するとともに、該小ねじ３２を上記ホルダ２９ａに前後摺動可能に挿通した後、その後部を後方に突出させ、該突出部にナット３２ａを螺合させる。そして、上記フック３１ａに弓弦３５の後端を係止した後、ナット３２ａを正逆回転させ、小ねじ３２を介してスライドピン３１を前後方向に移動させることにより、弓弦３５の張力を調節する。また、弓弦３５は細い釣り糸を集合させて形成する。
【００１７】
以上説明したように、本発明によるバイオリンの弓は一般の人が簡素な工具で容易に形成することができる。
【図面の簡単な説明】
【００１８】
【図１】本発明が適用させれるバイオリンの側面図である。
【図２】ネックと胴部との結合部を示す要部断面側面図である。
【図３】図２のIII-III拡大断面図である。
【図４】胴部の後部側を示す断面側面図である。
【図５】一部を破断したバイオリンの部分平面図である。
【図６】本発明の実施例を示すバイオリンの弓の部分側面図である。
【符号の説明】
【００１９】
１    バイオリン
２    胴部
３    裏板
４    表板
４ａ  ホール
４ｂ  スリット
５    側板
５ａ  前部
５ｂ  中間部
５ｃ  後部
６    差込口
７    ブロック
８    駒
９    補強リブ
１０    ネック
１１    差込部
１１ａ  上面
１１ｂ  下面
１１ｃ  左右面
１２    ヘッド部
１２ａ  凹部
１３    糸巻
１３ａ  心棒
１３ｂ  つまみ
１５    指板
２０    テールピース
２０ａ  前部係止孔
２０ｂ  後部係止孔
２１    緊張体（ワイヤ）
２２    締結具
２３    係止ピン
２４    弦
２５    弓
２５ａ  グリップ部
２５ｂ  竿部
２６    大径側のパイプ
２７    小径側のパイプ
２８    第１係止具
２９    取付け板
２９ａ  ホルダ
３０    ガイド
３１    スライドピン
３１ａ  フック
３２    小ねじ
３２ａ  ナット
３３    第２係止具
３５    弓弦
【図１】
2008046653.tif 000003
【図２】
2008046653.tif 000004
【図３】
2008046653.tif 000005
【図４】
2008046653.tif 000006
【図５】
2008046653.tif 000007
【図６】
2008046653.tif 000008